(57)【要約】【課題】料金体系の改定が起きた場合に、新しい料金体系による計量・表示が可能なデジタル料金秤を提供すること、及び、その対応に伴う作業は誰でもできる簡単なものとすること。【解決手段】デジタル料金秤に、計量した物品の重量に応じて点灯する複数の表示素子を用い、その表示素子を等間隔に配置する。それら表示素子に隣接して、料金が記載されたシートを設ける。このシートの重量の範囲を示すラインは均等に配置する必要はなく、料金体系の重量範囲に基づいて、適宜、配置されるものとする。また、表示素子を点灯させる際の、最小の単位重量を変更できるものとし、その単位重量に合わせた料金体系を示すシートを設ける構成とする。【選択図】        図３
2004317178.tif 000002
【特許請求の範囲】
【請求項１】
物品の重量を計量する計量手段と、
計量された重量値に基づいて、一定の重量ごとに点灯する等間隔に設けられた表示素子からなる表示部と、
その表示部に隣接する複数の料金が記載されたシートを備え、
そのシートには料金と表示素子との対応を表す区切りを示すラインが料金体系の重量範囲に基づいて示されていることを特徴とするデジタル料金秤。
【請求項２】
更に前記重量計量手段で計量された物品の重量値を数値で表示する重量値表示部を備えることを特徴とする請求項１に記載のデジタル料金秤。
【請求項３】
更に前記表示素子が点灯する最小の単位重量を変更することができる基準重量変更手段を備え、
前記シートは複数の単位重量に応じた料金が記載されていることを特徴とする請求項１または２に記載のデジタル料金秤。
【発明の詳細な説明】
【０００１】
【発明の属する技術分野】
本発明は、物品の重量から対応する料金を表示する料金秤に関するものであり、詳しくは料金体系の変更に、簡単に対応できるデジタル料金秤に関するものである。
【０００２】
【従来の技術】
秤の一つとして、物品の重量とその送料を提示する料金秤がある。従来の料金秤としては、計量皿に載せた計量物の重量と大きさを識別し、この識別結果に基づいてＣＰＵにおいて料金を算出し、計量した重量と料金を表示する秤がある（例えば特許文献１）。
【０００３】
また、秤の特殊な機能として、等間隔に点灯することができる表示素子を設け、重量に応じて点灯する表示素子が順に変更する構成とし、目標の重量にどの程度近づいているかどうかを判断することが可能な秤がある（例えば特許文献２）。
【０００４】
【特許文献１】
特開平６−３０７９１７号公報
【０００５】
【特許文献２】
特開平１０−９９３８号公報
【０００６】
【発明が解決しようとする課題】
前述の特開平６−３０７９１７号公報に記載の料金処理装置には、例えば郵便料金が郵便種別や重量によって区分されて記憶されたＲＯＭや不揮発性のＲＡＭからなるメモリを、秤本体から取り外し可能な構成として設け、郵便物の計量値と、キーボードから入力された郵便種別や特殊種別とから、前記メモリ内のデータに基づいて郵便料金を算出している。
【０００７】
従って、郵便料金が改定された場合には、前記メモリを新しい料金データが記憶されたメモリと交換していた。
【０００８】
このメモリの交換には、その技術・知識を取得した特定の技術者が必要となる。しかし料金改定は、全国一斉に行うことが必要となるが、そのような技術者を各地に派遣することは大変な事であり、新しい料金体系に基づく秤で計量できるようになるまでに、場所によっては時間が必要となっていた。
【０００９】
また、前述の特開平１０−９９３８号公報に記載のディジタル表示式計量秤は、単に目標値にどれだけ近づいてかが把握できるものであり、物品の重量に応じた料金が解るものではない。
【００１０】
本発明はこのような問題点に鑑みてなされたものであり、料金体系の改定が起きた場合に、新しい料金体系による計量・表示が可能なデジタル料金秤を提供することであり、その対応に伴う作業は誰でもできる簡単なものとする。
【００１１】
また、料金改定は必ずしも同じ重量範囲で起きるとは限らず、料金と共に区分けの重量範囲自体も変更となる場合、あるいは重量範囲のみが変更となる場合があるが、そのような場合にも対応できるものとする。
【００１２】
【課題を解決するための手段】
本発明のデジタル料金秤では、物品の重量を計量する計量手段と、
計量された重量値に基づいて、一定の重量ごとに点灯する等間隔に設けられた表示素子からなる表示部と、
その表示部に隣接する複数の料金が記載されたシートを備え、
そのシートには料金と表示素子との対応を表す区切りを示すラインが料金体系の重量範囲に基づいて示されていることとする。
【００１３】
また、本発明のデジタル料金秤では、更に前記重量計量手段で計量された物品の重量値を数値で表示する重量値表示部を備えることとする。
【００１４】
また、本発明のデジタル料金秤では、更に前記表示素子が点灯する最小の単位重量を変更することができる基準重量変更手段を備え、
前記シートは複数の単位重量に応じた料金が記載されているものとする。
【００１５】
【発明の実施の形態】
本発明のデジタル料金秤では、計量した物品の重量に応じて点灯する複数の表示素子を用い、その表示素子を等間隔に配置する。それら表示素子に隣接して、料金が記載されたシートを設ける。このシートの重量の範囲（区分け）を示すラインは均等に配置する必要はなく、料金体系の重量範囲に基づいて、適宜、配置されるものとする。また、表示素子を点灯させる際の、最小の単位重量を変更できるものとし、その単位重量に合わせた料金体系を示すシートを設ける構成とする。
【００１６】
【実施例】
本発明の実施例である郵便秤について、図面に基づき説明する。
【００１７】
図１は、本発明の郵便秤の外観図である。また、図２は、その郵便秤における内部接続を示すブロック図である。郵便秤１は、その上面に重量を計量する物品を載せるための載置皿２を備える。
【００１８】
また、載置皿２の手前側には、電源のオンスイッチ３、オフスイッチ４、計量された重量値を数値で表示する重量表示部５、計量された重量値に応じてドットが表示されるドット表示部６がある。このドット表示部６は液晶表示式（ＬＣＤ）で、一定方向に等間隔でドットが設けられている。そのドッド表示部６に隣接して郵便料金が記載されたシート７が設けられている。
【００１９】
更にドット表示部６の１ドットが何グラムを表すかを示すドット単位表示部８、その１ドットの単位を変更することができる基準重量変更手段である単位変更スイッチ９ａ、９ｂが備えられている。
【００２０】
秤の内部には演算制御部（ＣＰＵ）１０が設けられ、各部のスイッチ入力信号処理や重量値の算出及び各表示の制御を行う。また、計量皿２に繋がれており、重量に応じた信号を出力するセンサからなる荷重検出部２０も、演算制御部１０に接続されている。
【００２１】
次に本実施例の郵便秤１の動作を説明する。
【００２２】
オンスイッチ３が押されると、郵便秤１の電源はオンの状態となる。重量表示部５には初期値として０ｇが表示される。ドット表示部６は０ｇのため全てのドットは消灯している。ドット単位表示部８には、１ドット当たりの重量値が表示されている。
【００２３】
ここで計量物（郵便物）が載置皿２に載せられると物品の計量を開始する。荷重検出部２０は、重量に応じた信号を出力し、演算制御部１０はその信号から物品の重量を算出し、その重量値を重量表示部５に表示する。ここでは測定された値が１２５ｇであったとする。
【００２４】
ドット表示部６にはその１２５ｇに相当するだけのドットが点灯する。現在、１ドット当たり５ｇ表示なので、２５ドット分が点灯していることになる。
【００２５】
ドット表示部６の下に設けられたシート７には、図３に示すようにドットの範囲を分ける記載が複数のラインを用いてなされており、また、その範囲に該当する料金、例えば３９０円も記載されている。従って利用者は、現在点灯しているドットとシートの関係から物品の重量に応じた料金を理解することができるものである。
【００２６】
物品の計量が終了したら、オフスイッチ４を押すことで、重量表示部５とドット表示部６及びドット単位表示部８は消え、郵便秤１の全ての動作は終了する。
【００２７】
この郵便秤１において、シート７は簡単に剥離可能とし、新しいシートが貼れるようなものである。つまり、郵便料金の改定があった場合には、以前のシートから、新規の料金体系が記載された新しいシートを貼り直せばよい。これにより、郵便料金の改定が行われても簡単に対応することが可能である。
【００２８】
また、本実施例の郵便秤では、１ドットあたりの重量を変更できるものである。単位変更スイッチ９ａ、９ｂを押すことで、現在の１ドット当たりの単位を変更できる。
【００２９】
シートは図４に示すよう複数枚が重なって構成されており、その横方向の真中から折り返すことができる。このシートの各層には、封書や小包といった郵便物の種類によって異なる料金体系が記載されている。図４において、Ａ面の下側には、１ドット当たり５ｇ表示の時の料金体系が記載されており、Ａ面の上側には５ｇ表示の際の重量分けの範囲が記載されている。更にＢ面の下側には、２５ｇ表示の時の料金体系が記載されており、Ｂ面の上側には２５ｇ表示の時の重量分けの範囲が記載されている。また、シートの各面には、現在の単位当たりの重量が何ｇ時の料金体系を示すものであるかが解るよう、右上には、その料金体系の単位重量の値が記載されている。
【００３０】
ここで、本発明の実施例として郵便秤の有効性を更に説明する。
【００３１】
仮に同じ重量範囲の間隔で料金改定が起きる場合であれば、本発明の実施例で示したような表示素子とシートを用いて料金を記載するようなことを行わなくとも実現することは可能であり、一般的には、次のような発想となる。例えば、図５（ａ）に示すように６ヶの表示素子とその下に価格を示したシートを設けておく。表示素子はそれぞれ５０ｇ毎に点灯するものと設計しておく。図５（ｂ）に示すような重量範囲と料金体系であれば問題なく対応できる。仮に物品の重量が７５ｇの場合であれば、２つ目の（Ｂ）の表示素子まで点灯し、その料金は１４０円であると把握することができる。
【００３２】
しかし、料金体系の変更に伴い重量の範囲（重量の区分け）も変更された場合、あるいは、重量の範囲のみが変更された場合には、異なる重量範囲の表示素子が点灯してしまい、上述のような秤では、料金の記載されたシートを変更したとしても対応できないこととなる。例えば、重量の範囲が６０ｇ毎に区分けされるような場合には、５０ｇ毎の区分けで設計された料金秤では、シートに記載する料金を変更したとしても対応できないこととなる。
【００３３】
これに対し本発明の料金秤では、シートに記載する料金の範囲を示すラインを固定することなくその重量範囲に基づいて記載するため、フレキシブルに対応できるものであり、重量の区分けが変更されても問題なく対応できる。
【００３４】
また本発明の料金秤では、重量の区分けの変更に対応する際に、料金シートのラインの変更だけでは対応できない場合でも、表示素子が点灯する最小の単位重量を変更することができる構成としているため、新しい料金体系に対応することが可能となる。
【００３５】
実施例に示した郵便秤は、複数の単位当たりのドット表示に変更することが可能であるとしたが、これは重量の範囲（区分け）の最小単位が変更されたときにも対応できることを意味するものである。例えば、ドット表示が２０ｇ毎に点灯するものでは、１００ｇ毎に重量の範囲が設定されている料金体系の場合、１つの重量範囲当たり５ドットを用いることで問題ないが、仮に５０ｇ毎に重量の範囲が変更された場合、２０ｇ毎に点灯するドット表示では２．５ドットを用いるという計算になってしまい、正確に対応することができない。しかし、例えば、１０ｇ毎に点灯するようドット表示を変更できる構成としておけば、５０ｇ当たり５ドットを用いればよく、問題なく対応できるものである。
【００３６】
また、実施例に示した郵便秤は、最大表示重量を変更することが可能なことを意味するものでもある。
【００３７】
１ドット当たりの重量が５ｇの場合、ドットの数が５０ヶであれば２５０ｇまでしか表示することができない。しかし、１ドット当たりの重量を例えば２５ｇに変更すると、５０ヶのドットがあれば１２５０ｇまでの重量において、ドット表示を行うことが可能となる。このように、１ドット当たりの重量単位を変更できる構成と複数の料金体系が記載されたシートを組み合わせることにより、限られたドット数であっても、最大表示重量を変更することが可能となる。
【００３８】
尚、ここでは、複数の料金体系を記載するものとして、２枚のシートを組み合わせて構成した場合を説明したが、それ以上の枚数のシートを用いて多数の料金体系に対応できるようにしてもよい。あるいは一枚のシート上に料金体系を複数段にして記載する構成としてもよい。
【００３９】
また、本発明ではシートを用いるとしているが、このシートは実施例に示したよう、表示素子に隣接する部分のみの構成とする必要はなく、例えば、秤の防汚用としてスイッチ類や重量表示部までを覆うようなシートとし、その一部に料金を記載したものとしてもよい。
【００４０】
また、本実施例では郵便秤として説明したが、これに限らず、物品の重量からなんらかの料金を算出する料金はかりにおいては、本発明を適用することが可能である。
【００４１】
また、一定方向に等間隔並ぶ表示装置はドット表示式の液晶表示として説明したが、これに限らずＬＥＤ式の表示装置でもよく、また、表示方法においても、本発明では０ｇから計量された重量に相当するドットまで全てを点灯することとしたが、単にその重量に相当するドット（表示素子）だけを点灯する表示方法としてもよい。
【００４２】
【発明の効果】
本発明のデジタル料金秤では、一定の重量ごとに点灯する表示素子を等間隔に設けた表示部と、料金と表示素子との対応を表す区切りを示すラインが料金体系の重量範囲に基づいて示されたシートとを隣接して設ける構成とするので、郵便物のように、料金改定が起きた場合に、従来のように、重量に応じた料金が記憶されたメモリの交換を行う必要がなく、改正された料金が記載されたシートと交換するだけでよい。このような交換であれば、特定の技術者でなくとも可能であり、瞬時に新しい料金体系のはかりを提供することが可能となる。また、シートの交換のみで新しい料金体系に対応することができるため、従来のようにメモリ交換を行う場合に比べ、安価に提供することが可能である。
【００４３】
また、本発明のデジタル料金秤では、更に物品の重量値も数値として表示するので、実際の重量も把握することが可能である。
【００４４】
また、本発明のデジタル料金秤では、表示素子が点灯する最小の単位重量を変更することができるものなので、重量の区分け変更にも対応できる。更に限られた表示素子数において表示できる最大表示重量を変更することも可能となり、料金表示できる重量の範囲を広げることも可能となる。
【図面の簡単な説明】
【図１】本発明の実施例における郵便秤の外観図
【図２】本発明の実施例における郵便秤の内部ブロック図
【図３】本発明の実施例における郵便秤のドット表示部とシートを示す図
【図４】本発明の実施例における郵便秤のシートの別実施例を示す図
【図５】一般的な発想における郵便秤の構成を説明する図
【符号の説明】
１  郵便秤
２  載置皿
３  オンスイッチ
４  オフスイッチ
５  重量表示部
６  ドット表示部
７  シート
８  ドット単位表示部
９ａ、９ｂ  単位変更スイッチ
１０  演算制御部
２０  荷重検出部
【図１】
2004317178.tif 000003
【図２】
2004317178.tif 000004
【図３】
2004317178.tif 000005
【図４】
2004317178.tif 000006
【図５】
2004317178.tif 000007